(57)【特許請求の範囲】
【請求項１】
歯形模型が固定される固定用プレートと、前記固定用プレートに植設されたダウエルピンと、前記固定用プレートを支持するための支持基台と、を有する歯科技工用作業模型を製造するための方法であって、
前記支持基台の上面に設けられた挿入孔に前記ダウエルピンを挿入するピン挿入工程と、前記支持基台の上部に成型用基枠を装着する枠装着工程と、前記支持基台及び前記成型用基枠により規定される注入空間に石膏を注入して前記固定用プレートを成型するプレート成型工程と、前記注入空間における成型前の前記固定用プレートの上面に前記歯形模型を固定する模型固定工程と、を含み、
前記成型用基枠の所定部位には、前記支持基台の前記挿入孔に挿入された前記ダウエルピンに対応してマーキング部が設けられ、前記模型固定工程においては、前記マーキング部に基づいて前記歯形模型が前記ダウエルピンに対して位置決めされて注入した石膏に固定されることを特徴とする歯科技工用作業模型の製造方法。
【請求項２】
前記マーキング部は、前記成型用基枠の上面及び内側面に設けられていることを特徴とする請求項１に記載の歯科技工用作業模型の製造方法。
【請求項３】
前記マーキング部はマーキング用突部又はマーキング用凹部から構成され、前記成型用基枠の内側面に設けられた前記マーキング用突部又は前記マーキング用凹部は、前記成型用基枠の上面から下方に向けて延びており、
前記プレート成型工程において、前記注入空間には、前記成型用基枠の内側面に設けられた前記マーキング用突部又は前記マーキング用凹部の下端部又はその近傍まで石膏が注入されることを特徴とする請求項２に記載の歯科技工用作業模型の製造方法。
【請求項４】
前記マーキング部は一対設けられ、前記枠装着工程において、前記一対のマーキング部は、前記支持基台の前記挿入孔を挟んでその両側に配設されることを特徴とする請求項１〜３のいずれかに記載の歯科技工用作業模型の製造方法。
【請求項５】
前記支持基台の外側面には、前記挿入孔に対応して位置決め用突部が設けられ、前記枠装着工程において、前記成型用基枠の下端部が前記位置決め用突部に支持されることを特徴とする請求項１〜４のいずれかに記載の歯科技工用作業模型の製造方法。
【請求項６】
前記枠装着工程において、前記成型用基枠の突出高さは、５〜１５ｍｍであることを特徴とする請求項１〜５のいずれかに記載の歯科技工用作業模型の製造方法。
【請求項７】
前記成型用基枠の上面には、外側に向けて下り傾斜する傾斜面が形成されていることを特徴とする請求項１〜６のいずれかに記載の歯科技工用作業模型の製造方法。
【請求項８】
歯形模型が固定される固定用プレートと、前記固定用プレートに植設されたダウエルピンと、前記固定用プレートを支持するための支持基台と、を有する歯科技工用作業模型を製造する際に用いる成型用基枠であって、
石膏が注入される注入空間を規定するために前記支持基台の上部に装着される基枠本体を備え、前記基枠本体の所定部位には、前記支持基台の上面に設けられた挿入孔に挿入された前記ダウエルピンに対応してマーキング部が設けられていることを特徴とする成型用基枠。
【発明の詳細な説明】
【技術分野】
【０００１】
本発明は、歯科治療などにおいて用いられる歯科技工用作業模型の製造方法及びこれに用いられる成型用基枠に関する。
【背景技術】
【０００２】
一般に、歯科治療などにおいて用いられる歯科技工用作業模型は、歯形模型が固定される固定用プレートと、固定用プレートに植設されたダウエルピンと、固定用プレートを支持するための支持基台と、を備えている（例えば、特許文献１参照）。支持基台は合成樹脂から形成され、その上面には挿入孔が設けられている。固定用プレートは石膏から形成され、この固定用プレートに植設されたダウエルピンを支持基台の挿入孔に挿入することによって、固定用プレートが支持基台の上面に支持される。
【０００３】
このような歯科技工用作業模型は、例えば次のようにして製造される。まず、歯型に石膏を流し込んで歯形模型が製作され、また、合成樹脂の射出成型により支持基台が製造される。そして、支持基台の上面に設けられた挿入孔にダウエルピンを先端部側から挿入し、シリコンゴムなどから形成された成型用基枠を支持基台の上部に装着する。その後、支持基台及び成型用基枠により規定される注入空間に石膏を注入し、この注入空間における成型前（即ち、石膏の硬化前）の固定用プレートの上面に歯形模型を押し付ける。注入空間内の石膏が硬化することによって、ダウエルピンが植設された固定用プレートが成型されるとともに、固定用プレートの上面に歯形模型が固定される。
【先行技術文献】
【特許文献】
【０００４】
【特許文献１】特許第４０７３４７５号公報
【発明の概要】
【発明が解決しようとする課題】
【０００５】
しかしながら、上述のような従来の歯科技工用作業模型の製造方法では、次のような問題がある。注入空間に石膏を注入すると、支持基台の挿入孔に挿入されたダウエルピンの基端部は石膏中に埋設されるので、外部からダウエルピンの配設箇所を確認することが難しい。そのため、歯形模型を成型前の固定用プレートの上面に押し付ける際に、歯形模型のダウエルピンに対する位置決めを容易に行うことができない。
【０００６】
本発明の目的は、歯形模型のダウエルピンに対する位置決めを容易に行うことができる歯科技工用作業模型の製造方法及びこれに用いられる成型用基枠を提供することである。
【課題を解決するための手段】
【０００７】
本発明の請求項１に記載の歯科技工用作業模型の製造方法では、歯形模型が固定される固定用プレートと、前記固定用プレートに植設されたダウエルピンと、前記固定用プレートを支持するための支持基台と、を有する歯科技工用作業模型を製造するための方法であって、
前記支持基台の上面に設けられた挿入孔に前記ダウエルピンを挿入するピン挿入工程と、前記支持基台の上部に成型用基枠を装着する枠装着工程と、前記支持基台及び前記成型用基枠により規定される注入空間に石膏を注入して前記固定用プレートを成型するプレート成型工程と、前記注入空間における成型前の前記固定用プレートの上面に前記歯形模型を固定する模型固定工程と、を含み、
前記成型用基枠の所定部位には、前記支持基台の前記挿入孔に挿入された前記ダウエルピンに対応してマーキング部が設けられ、前記模型固定工程においては、前記マーキング部に基づいて前記歯形模型が前記ダウエルピンに対して位置決めされて注入した石膏に固定されることを特徴とする。
【０００８】
また、本発明の請求項２に記載の歯科技工用作業模型の製造方法では、前記マーキング部は、前記成型用基枠の上面及び内側面に設けられていることを特徴とする。
【０００９】
また、本発明の請求項３に記載の歯科技工用作業模型の製造方法では、前記マーキング部はマーキング用突部又はマーキング用凹部から構成され、前記成型用基枠の内側面に設けられた前記マーキング用突部又は前記マーキング用凹部は、前記成型用基枠の上面から下方に向けて延びており、
前記プレート成型工程において、前記注入空間には、前記成型用基枠の内側面に設けられた前記マーキング用突部又は前記マーキング用凹部の下端部又はその近傍まで石膏が注入されることを特徴とする。
【００１０】
また、本発明の請求項４に記載の歯科技工用作業模型の製造方法では、前記マーキング部は一対設けられ、前記枠装着工程において、前記一対のマーキング部は、前記支持基台の前記挿入孔を挟んでその両側に配設されることを特徴とする。
【００１１】
また、本発明の請求項５に記載の歯科技工用作業模型の製造方法では、前記支持基台の外側面には、前記挿入孔に対応して位置決め用突部が設けられ、前記枠装着工程において、前記成型用基枠の下端部が前記位置決め用突部に支持されることを特徴とする。
【００１２】
また、本発明の請求項６に記載の歯科技工用作業模型の製造方法では、前記枠装着工程において、前記成型用基枠の突出高さは、５〜１５ｍｍであることを特徴とする。
【００１３】
また、本発明の請求項７に記載の歯科技工用作業模型の製造方法では、前記成型用基枠の上面には、外側に向けて下り傾斜する傾斜面が形成されていることを特徴とする。
【００１４】
また、本発明の請求項８に記載の成型用基枠では、歯形模型が固定される固定用プレートと、前記固定用プレートに植設されたダウエルピンと、前記固定用プレートを支持するための支持基台と、を有する歯科技工用作業模型を製造する際に用いる成型用基枠であって、
石膏が注入される注入空間を規定するために前記支持基台の上部に装着される基枠本体を備え、前記基枠本体の所定部位には、前記支持基台の上面に設けられた挿入孔に挿入された前記ダウエルピンに対応してマーキング部が設けられていることを特徴とする。
【発明の効果】
【００１５】
本発明の請求項１に記載の歯科技工用作業模型の製造方法によれば、成型用基枠の所定部位には、支持基台の挿入孔に挿入されたダウエルピンに対応してマーキング部が設けられている。これにより、模型固定工程において、マーキング部に基づいてダウエルピンの配設箇所を外部から容易に確認することができるようになり、歯形模型のダウエルピンに対する位置決めを容易に行うことができる。従って、歯科技工用作業模型を精度良く製造することができるとともに、その製造効率を高めることができる。
【００１６】
また、本発明の請求項２に記載の歯科技工用作業模型の製造方法によれば、マーキング部は成型用基枠の上面及び内側面に設けられているので、種々の角度方向（特に、上方向乃至横方向）からのマーキング部の視認性が良くなる。従って、模型固定工程において、作業者が種々の作業姿勢で作業を行う場合であっても、マーキング部を容易に見ることができ、歯形模型のダウエルピンに対する位置決めをより容易に行うことができる。
【００１７】
また、本発明の請求項３に記載の歯科技工用作業模型の製造方法によれば、プレート成型工程において、注入空間には、成型用基枠の内側面に設けられたマーキング用突部又はマーキング用凹部の下端部又はその近傍まで石膏が注入されるので、このマーキング用突部又はマーキング用凹部を石膏の注入量を測るための目盛りとして利用することができる。従って、ほぼ一定量の石膏を注入空間に注入することができ、製造精度及び製造効率を高めることができる。
【００１８】
また、本発明の請求項４に記載の歯科技工用作業模型の製造方法によれば、枠装着工程において、一対のマーキング部は、支持基台の挿入孔を挟んでその両側に配設されるので、これら一対のマーキング部によって、ダウエルピンの配設箇所を外部からより容易に確認することができる。
【００１９】
また、本発明の請求項５に記載の歯科技工用作業模型の製造方法によれば、支持基台の外側面には、挿入孔に対応して位置決め用突部が設けられているので、枠装着工程において、成型用基枠の下端部が位置決め用突部に支持されることにより、成型用基枠の支持基台に対する位置決めを容易に行うことができる。
【００２０】
また、本発明の請求項６に記載の歯科技工用作業模型の製造方法によれば、枠装着工程において、成型用基枠の突出高さは５〜１５ｍｍであるので、模型固定工程において歯形模型を成型前の固定用プレートの上面に固定する際に、歯形模型の周囲にはみ出した石膏が成型用基枠の内周面によってブロックされ、石膏が注入空間の外部に流出するのを防止することができる。
【００２１】
また、本発明の請求項７に記載の歯科技工用作業模型の製造方法によれば、成型用基枠の上面には、外側に向けて下り傾斜する傾斜面が形成されているので、模型固定工程において歯形模型を成型前の固定用プレートの上面に固定する際に、歯形模型の周囲にはみ出した石膏が傾斜面に沿って流れ落ちるようになる。これにより、余分な石膏が傾斜面に付着するのを防止することができ、成型用基枠をクリーンに使用することができる。また、仮に石膏が傾斜面に付着した場合であっても、その除去を容易に行うことができる。
【００２２】
また、本発明の請求項８に記載の成型用基枠によれば、基枠本体の所定部位には、支持基台の上面に設けられた挿入孔に挿入されたダウエルピンに対応してマーキング部が設けられている。このような成型用基枠を用いて歯科技工用作業模型を製造することにより、注入空間における成型前の固定用プレートの上面に歯形模型を押し付けて固定する際に、マーキング部に基づいてダウエルピンの配設箇所を外部から容易に確認することができるようになり、歯形模型のダウエルピンに対する位置決めを容易に行うことができる。
【図面の簡単な説明】
【００２３】
【図１】本発明の第１の実施形態による製造方法により製造された歯科技工用作業模型を示す斜視図である。
【図２】図１の歯科技工用作業模型を示す分解斜視図である。
【図３】図１中のＡ−Ａ線による歯科技工用作業模型の断面図である。
【図４】支持基台の上部に成型用基枠を装着する前の状態を示す斜視図である。
【図５】支持基台の上部に成型用基枠を装着した状態を示す断面図である。
【図６】注入空間内に石膏を注入した状態を示す断面図である。
【図７】歯形模型を成型前の固定用プレートの上面に押し付ける前の状態を示す斜視図である。
【図８】本発明の第２の実施形態による成型用基枠を支持基台の上部に装着した状態を示す断面図である。
【図９】本発明の第３の実施形態による製造方法により製造された歯科技工用作業模型を示す分解斜視図である。
【図１０】支持基台の上部に成型用基枠を装着する前の状態における斜視図である。
【図１１】支持基台の上部に成型用基枠を装着した状態を示す平面図である。
【図１２】変形形態の成型用基枠を支持基台の上部に装着した状態を示す平面図である。
【発明を実施するための形態】
【００２４】
以下、添付図面を参照して、本発明に従う歯科技工用作業模型の製造方法及びこれに用いられる成型用基枠の各種実施形態について説明する。
［第１の実施形態］
まず、図１〜図７を参照して、第１の実施形態の歯科技工用作業模型の製造方法及びこれに用いられる成型用基枠について説明する。図１は、本発明の第１の実施形態による製造方法により製造された歯科技工用作業模型を示す斜視図であり、図２は、図１の歯科技工用作業模型を示す分解斜視図であり、図３は、図１中のＡ−Ａ線による歯科技工用作業模型の断面図であり、図４は、支持基台の上部に成型用基枠を装着する前の状態を示す斜視図であり、図５は、支持基台の上部に成型用基枠を装着した状態を示す断面図であり、図６は、注入空間内に石膏を注入した状態を示す断面図であり、図７は、歯形模型を成型前の固定用プレートの上面に押し付ける前の状態を示す斜視図である。
【００２５】
図１〜図３を参照して、図示の歯科技工用作業模型２は、歯形模型４が固定される固定用プレート６と、固定用プレート６に植設された複数のダウエルピン８と、固定用プレート６を支持するための支持基台１０と、を備えている。
【００２６】
支持基台１０は、例えばポリエチレン樹脂やポリプロピレン樹脂、ナイロン樹脂、ウレタン樹脂などの合成樹脂から形成されている。この支持基台１０は、横長且つ筒状の周側壁１２と、周側壁１２の上側を覆う上壁１４と、を有している。上壁１４の上面（支持基台１０の上面を規定する）には、長手方向（図１及び図２において左下から右上の方向）に間隔を置いて一対の挿入孔１６が三組設けられている。各一対の挿入孔１６は、上記長手方向に対して略垂直な方向に間隔を置いて設けられている。周側壁１２の内側に形成された空間１８には、各挿入孔１６に対応して上壁１４の下面から下方に延びる筒状突部２０が設けられており、各挿入孔１６はこの筒状突部２０の内部を貫通して設けられている（図３参照）。なお、各挿入孔１６は、筒状突部２０の上端部から下端部に向けて内径が漸減するテーパ状に形成されている。また、上壁１４の上面における両側端部にはそれぞれ、上記長手方向に延びる連結用突部２２が設けられている。更に、周側壁１２の外周面（支持基台１０の外側面を規定する）には、挿入孔１６に対応して（換言すると、固定用プレート６のダウエルピン８に対応して）位置決め用突部２４が設けられ、この位置決め用突部２４は、一対の挿入孔１６を挟んでそれらの両側にそれぞれ配設されている。
【００２７】
固定用プレート６は石膏から形成され、支持基台１０の上壁１４の形状に対応した形状を有している。この固定用プレート６には、支持基台１０の各挿入孔１６に対応してダウエルピン８が複数植設されている。また、固定用プレート６の下面（即ち、ダウエルピン８が突出する側の面）には、支持基台１０の一対の連結用突部２２に対応して、一対の連結用凹部２６が設けられている（図３参照）。ダウエルピン８は、上述のように各挿入孔１６がテーパ状に形成されていることに対応して、その基端部から先端部に向けて外径が漸減するテーパ状に形成されている。また、固定用プレート６に埋設されるダウエルピン８の基端部には、固定用プレート６に対する固定強度を高めるためにローレット加工が施されている。
【００２８】
固定用プレート６の上面には、石膏から形成された歯形模型４が固定されている。この固定用プレート６は、ダウエルピン８を対応する挿入孔１６に着脱自在に挿入することにより、支持基台１０の上壁１４の上面に支持される。この支持状態では、ダウエルピン８の先端部は筒状突部２０の下端部から下方に幾分突出され、また、固定用プレート６の連結用凹部２６と支持基台１０の連結用突部２２とが着脱自在に相互に係合される。
【００２９】
次に、図４〜図７を参照して、上述した歯科技工用作業模型２の製造方法について説明する。まず、歯型（図示せず）に石膏を流し込んで歯形模型４を製作し、また、合成樹脂による射出成型によって支持基台１０を製造する。そして、図４に示すように、支持基台１０の各挿入孔１６にダウエルピン８を先端部側から着脱自在に挿入する（ピン挿入工程）。このように挿入すると、ダウエルピン８の基端部は、支持基台１０の上壁１４から上方に所定長さＬ（例えば約３ｍｍ）（図５参照）だけ突出される。
【００３０】
その後、図４及び図５に示すように、支持基台１０の上部に成型用基枠２８を着脱自在に装着する（枠装着工程）。枠装着工程で用いる成型用基枠２８について説明すると、図示の成型用基枠２８は基枠本体３０を備えている。基枠本体３０は、全体として略矩形状の外形を有し、例えばシリコンゴムや合成ゴムなどのゴム材料から形成されている。基枠本体３０の内側には上下に貫通する開口３１が設けられ、この開口３１は、支持基台１０の上部の形状に対応した形状を有している。基枠本体３０の上面及び内側面には、支持基台１０の挿入孔１６に挿入されたダウエルピン８に対応してマーキング用凹部３４（マーキング部を構成する）が設けられている。このマーキング用凹部３４はライン状の溝から構成され、開口３１を挟んでその両側にそれぞれ設けられている。なお、基枠本体３０の内側面に設けられたマーキング用凹部３４は、基枠本体３０の上面から下方に所定距離Ｄ（例えば約３ｍｍ）（図５参照）だけ延びている。
【００３１】
基枠本体３０を支持基台１０の上部に装着すると、支持基台１０の上壁１４及び周側壁１２の上端部が開口３１の下端部に挿入され、基枠本体３０の内周面が周側壁１２の外周面に密着するようになる。このとき、基枠本体３０の下端部が支持基台１０の位置決め用突部２４に支持されることにより、基枠本体３０が支持基台１０に対して位置決めされる。この装着状態では、基枠本体３０は、支持基台１０の上壁１４から上方に所定高さＨ（「突出高さ」とも表現する）（例えば約８ｍｍ）だけ突出されるようになり、支持基台１０の上面及び基枠本体３０の内周面によって注入空間３２が規定される。また、基枠本体３０の一対のマーキング用凹部３４は、ダウエルピン８を挟んでその両側に配設されるようになる（図７参照）。
【００３２】
その後に、図６に示すように、固定用プレート６を成型するための石膏３６を注入空間３２に注入する（プレート成型工程）。この石膏３６は、基枠本体３０の内側面に設けられたマーキング用凹部３４の下端部（又はその近傍）まで注入され、これによりダウエルピン８の基端部は石膏３６に完全に浸漬される。更にその後、図７に示すように、この注入空間３２における成型前の固定用プレート６（即ち、硬化前の石膏３６）の上面に歯形模型４を押し付ける（模型固定工程）。そして、注入空間３２内の石膏３６が硬化することによって、ダウエルピン８が植設された固定用プレート６が成型されるとともに、固定用プレート６の上面に歯形模型４が固定される。
【００３３】
上述したように、基枠本体３０のマーキング用凹部３４はダウエルピン８に対応して配設されているので、模型固定工程において、このマーキング用凹部３４に基づいてダウエルピン８の配設箇所を外部から容易に確認することができ、歯形模型４のダウエルピン８に対する位置決めを容易に行うことができる。また、基枠本体３０の上壁１４からの突出高さＨは、成型前の固定用プレート６の厚みｄ（例えば約５ｍｍ）（図６参照）よりも大きく構成されているので、歯形模型４を成型前の固定用プレート６の上面に押し付けた際に、歯形模型４の周囲にはみ出した石膏３６が基枠本体３０の内周面によってブロックされ、石膏３６が注入空間３２の外部に流出するのが防止される。なお、石膏３６の流出を確実に防止するためには、基枠本体３０の上壁１４からの突出高さＨは、５〜１５ｍｍであるのが好ましく、７〜１０ｍｍであるのがより好ましい。上記突出高さＨが５ｍｍよりも低いと、石膏３６が注入空間３２の外部に流出するおそれがあり、また上記突出高さＨが１５ｍｍよりも高いと、注入空間３２の深さが深くなり、歯形模型４を成型前の固定用プレート６の上面に押し付ける作業が行い難くなる。
【００３４】
その後、基枠本体３０を支持基台１０の上部から取り外し、歯形模型４の所定部位を固定プレート６とともに切断する（切断工程）。このように切断することによって、歯形模型４の切断した部位を固定用プレート６及びダウエルピン８とともに残りの部位から取り出すことができる。なお、上述したように、支持基台１０には挿入孔１６に対応して位置決め用突部２４が設けられているので、歯形模型４を切断する際に、この位置決め用突部２４に基づいてダウエルピン８の配設箇所を容易に確認することができる。
【００３５】
なお、本実施形態では、固定用プレート６に一対のダウエルピン８が三組植設されていることに対応して、基枠本体３０にマーキング用凹部３４を合計６個設けるように構成したが、ダウエルピン８の数は適宜設定することができる。例えば、固定用プレート６に一対のダウエルピン８が五組植設されている場合には、１０個のダウエルピン８に対応して、基枠本体３０には合計１０個のマーキング用凹部３４が設けられるようになる。
［第２の実施形態］
次に、図８を参照して、第２の実施形態の歯科技工用作業模型の製造方法及びこれに用いられる成型用基枠について説明する。図８は、本発明の第２の実施形態による成型用基枠を支持基台の上部に装着した状態を示す断面図である。なお、以下に示す各実施形態において、上記実施形態と実質上同一の構成要素には同一の符号を付し、その説明を省略する。
【００３６】
図８を参照して、本実施形態の成型用基枠２８Ａでは、基枠本体３０Ａの上面には、外側に向けて下り傾斜する傾斜面４０が全周に渡って設けられている。なお、この傾斜面４０の傾斜角度θは、例えば２０〜４０°程度に設定される。また、マーキング用凹部３４Ａは、傾斜面４０の上面及び基枠本体３０Ａの内側面に設けられている。このように構成されているので、歯形模型（図示せず）を成型前の固定用プレート６の上面に押し付けた際に、歯形模型の周囲にはみ出した石膏３６は傾斜面４０に沿って流れ落ちるようになり、余分な石膏３６が傾斜面４０に付着するのを防止することができる。また、仮に石膏３６が傾斜面４０に付着したとしても、その除去を容易に行うことができる。
【００３７】
なお、本実施形態では、基枠本体３０Ａの上面の全周に渡って傾斜面４０を設けるように構成したが、基枠本体３０Ａの上面の一部にのみ傾斜面４０を設けるように構成してもよい。また、傾斜面４０の傾斜角度θは、０〜８０°の適宜の角度に設定することができる。
［第３の実施形態］
次に、図９〜図１１を参照して、第３の実施形態の歯科技工用作業模型の製造方法及びこれに用いられる成型用基枠について説明する。図９は、本発明の第３の実施形態による製造方法により製造された歯科技工用作業模型を示す分解斜視図であり、図１０は、支持基台の上部に成型用基枠を装着する前の状態における斜視図であり、図１１は、支持基台の上部に成型用基枠を装着した状態を示す平面図である。
【００３８】
図９を参照して、図示の歯科技工用作業模型２Ｂでは、歯形模型４Ｂは上歯全体（又は下歯全体）のものから構成されている。これに関連して、固定用プレート６Ｂは弧状に延びて構成されており、ダウエルピン８は挿入孔１６に対応して固定用プレート６Ｂに間隔を置いて植設されている。また、支持基台１０Ｂの上壁１４Ｂは、固定用プレート６Ｂに対応して弧状に延びており、この上壁１４Ｂの内側には略半楕円状の支持用凹部４２が設けられている。上壁１４Ｂの上面には挿入孔１６が間隔を置いて設けられるとともに、その外周部及び内周部にはそれぞれ弧状に延びる連結用突部２２Ｂが設けられている。支持基台１０Ｂの周側壁１２Ｂの外周面には、挿入孔１６に対応して位置決め用突部２４が設けられている。
【００３９】
本実施形態の製造方法に用いられる成型用基枠２８Ｂでは、基枠本体３０Ｂは全体として略半楕円状の外形を有しており、基枠本体３０Ｂの内側に設けられた開口３１Ｂは、支持基台１０Ｂの上部の形状に対応する形状を有している（図１０参照）。これにより、基枠本体３０Ｂは、弧状に延びる外側本体部４６と、外側本体部４６の内側に配設された略半楕円状の内側本体部４８と、外側本体部４６及び内側本体部４８を相互に接続する接続部５０と、を有している。外側本体部４６の上面及び内側面並びに内側本体部４８の上面及び外側面にはそれぞれ、支持基台１０Ｂの挿入孔１６に挿入されたダウエルピン８に対応してマーキング用突部５２（マーキング部を構成する）が設けられている。このマーキング用突部５２はライン状の突条から構成され、開口３１Ｂを挟んでその両側にそれぞれ設けられている。
【００４０】
本実施形態の製造方法では、上記第１の実施形態と同様に、ピン挿入工程、枠装着工程、プレート成型工程、模型固定工程及び切断工程が行われる。枠装着工程において、基枠本体３０Ｂを支持基台１０Ｂの上部に着脱自在に装着すると、外側本体部４６の内周面及び接続部５０の内周面がそれぞれ周側壁１２Ｂの外周面に密着される。また、外側本体部４６の下端部が位置決め用突部２４に支持されるとともに、内側本体部４８が支持用凹部４２に挿入され支持される。また、一対のマーキング用突部５２は、ダウエルピン８を挟んでその両側に配設されるようになる（図１１参照）。従って、模型固定工程においては、このマーキング用突部５２に基づいてダウエルピン８の配設箇所を外部から容易に確認することができ、歯形模型４Ｂのダウエルピン８に対する位置決めを容易に行うことができる。
【００４１】
なお、本実施形態では、固定用プレート６Ｂにダウエルピン８が１０個植設されたもの（所謂、局所タイプのもの）であることに対応して、基枠本体３０Ｂにマーキング用突部５２を合計２０個設けるように構成したが、ダウエルピン８の数は適宜設定することができる。例えば、図１２に示すように、ダウエルピン８が１４個植設されたもの（所謂、フルタイプのもの）でもよく、かかる場合には、１４個のダウエルピン８に対応して、基枠本体３０Ｃには合計２８個のマーキング用突部５２が設けられるようになる。
【００４２】
以上、本発明に従う歯科技工用作業模型の製造方法及びこれに用いられる成型用基枠の各種実施形態について説明したが、本発明はかかる実施形態に限定されるものではなく、本発明の範囲を逸脱することなく種々の変形乃至修正が可能である。
【００４３】
上記各実施形態では、ピン挿入工程の後に枠装着工程を行っているが、これとは反対に、枠装着工程の後にピン挿入工程を行うようにしてもよい。
【００４４】
また、上記各実施形態では、マーキング用凹部３４（３４Ａ）及びマーキング用突部５２は、基枠本体３０（３０Ａ）（３０Ｂ）（３０Ｃ）の上面及び内側面に設けられるように構成したが、例えば基枠本体３０（３０Ａ）（３０Ｂ）（３０Ｃ）の上面のみ又は内側面のみに設けるように構成してもよく、或いは、基枠本体３０（３０Ａ）（３０Ｂ）（３０Ｃ）の外側面に設けるように構成してもよく、その配設箇所は適宜設定することができる。
【００４５】
また、上記各実施形態では、マーキング用凹部３４（３４Ａ）及びマーキング用突部５２をライン状に構成したが、例えば円形状や矩形状、数字など、その形状は適宜設定することができる。
【００４６】
また、上記各実施形態では、マーキング部をマーキング用凹部３４（３４Ａ）又はマーキング用突部５２から構成したが、例えばペイントや印刷などから構成するようにしてもよい。
【００４７】
また、上記各実施形態では、マーキング用凹部３４（３４Ａ）及びマーキング用突部５２を開口３１（３１Ｂ）を挟んでその両側に一対設けるように構成したが、その片側にのみ設けるように構成してもよい。
【符号の説明】
【００４８】
２，２Ｂ  歯科技工用作業模型
４，４Ｂ  歯形模型
６，６Ｂ  固定用プレート
８  ダウエルピン
１０，１０Ｂ，１０Ｃ  支持基台
１６  挿入孔
２４  位置決め用突部
２８，２８Ａ，２８Ｂ，２８Ｃ  成型用基枠
３０，３０Ａ，３０Ｂ，３０Ｃ  基枠本体
３２，３２Ａ，３２Ｂ  注入空間
３４，３４Ａ  マーキング用凹部
３６  石膏
４０  傾斜面
５２  マーキング用突部
【図１】
0005417207.tif 000002
【図２】
0005417207.tif 000003
【図３】
0005417207.tif 000004
【図４】
0005417207.tif 000005
【図５】
0005417207.tif 000006
【図６】
0005417207.tif 000007
【図７】
0005417207.tif 000008
【図８】
0005417207.tif 000009
【図９】
0005417207.tif 000010
【図１０】
0005417207.tif 000011
【図１１】
0005417207.tif 000012
【図１２】
0005417207.tif 000013